(57)【特許請求の範囲】
【請求項１】
依頼側ユーザーからの、依頼側ユーザーが他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を、受信もしくは取得する仕事場所受信手段と、
前記依頼側ユーザーと離れた場所に居る受注側ユーザーであって、他人から依頼された仕事を行うことを希望している受注側ユーザーからの、受注側ユーザーが現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を、受信もしくは取得する現在場所受信手段と、
前記依頼側ユーザーからの仕事場所と前記受注側ユーザーからの現在場所とが互いにほぼ同一もしくは近い場所であるかどうかを判定する、又は、前記依頼側ユーザーからの仕事場所と前記受注側ユーザーからの現在場所とが互いにほぼ同一もしくは近い場所であるような組合せを抽出する判定等手段と、
前記依頼側ユーザーからの仕事場所と前記受注側ユーザーからの現在場所とが互いにほぼ同一もしくは近いものであると判定されたとき又はそのような組合せが抽出されたとき、そのこと又はそのような組合せを、前記依頼側及び受注側の双方もしくは一方のユーザーに知らせる告知手段と、
を備えたことを特徴とする仕事マッチングシステム。
【請求項２】
依頼側ユーザーが、他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を、入力もしくは送信する仕事場所送信手段と、
前記依頼側ユーザーと離れた場所に居る受注側ユーザーであって、他人から依頼された仕事を行うことを希望している受注側ユーザーが、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を、入力もしくは送信する現在場所送信手段と、
前記依頼側ユーザーからの仕事場所と前記受注側ユーザーからの現在場所とが互いに同一もしくは近い場所であるかどうかを判定する、又は互いに同一もしくは近い場所であるような組合せを抽出する判定等手段と、
前記依頼側ユーザーからの仕事場所と前記受注側ユーザーからの現在場所とが互いに同一もしくは近いものであると判定されたとき、又はそのような組合せが抽出されたとき、そのこと又はそのような組合せを、前記依頼側及び受注側の双方もしくは一方のユーザーに知らせる告知手段と、
を備えたことを特徴とする仕事マッチングシステム。
【請求項３】
依頼側ユーザーからの、他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、
前記依頼側ユーザーと離れた場所に居る複数の受注側ユーザーであって、他人から依頼された仕事を行うことを希望している複数の受注側ユーザーからの、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、
少なくとも前記依頼側ユーザーからの依頼希望仕事データに含まれる仕事場所と前記複数の受注側ユーザーからの各受注希望仕事データに含まれる現在場所とに基づいて、前記複数の受注希望仕事データの中から、前記依頼側ユーザーからの依頼希望仕事データに含まれる仕事場所と適合する現在場所を含む受注希望仕事データもしくはその受注側ユーザーを、抽出もしくは選択する抽出手段と、
前記抽出手段により抽出もしくは選択された受注希望仕事データもしくはその受注側ユーザーに関する情報を、前記依頼側ユーザー側に送信もしくは出力する情報送信手段と、
を備えたことを特徴とする仕事マッチングシステム。
【請求項４】
複数の依頼側ユーザーからの、他人に依頼したいと希望している仕事についての、その仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、
前記複数の依頼側ユーザーと離れた場所に居る受注側ユーザーであって、他人から依頼された仕事を行うことを希望している受注側ユーザーからの、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、
少なくとも前記複数の依頼側ユーザーからの各依頼希望仕事データに含まれる仕事場所と前記受注側ユーザーからの受注希望仕事データに含まれる現在場所とに基づいて、前記複数の依頼希望仕事データの中から、前記受注側ユーザーからの受注希望仕事データに含まれる現在場所と適合する仕事場所を含む依頼希望仕事データもしくはその依頼側ユーザーを抽出もしくは選択する抽出手段と、
前記抽出手段により抽出もしくは選択された依頼希望仕事データもしくはその依頼側ユーザー又はその依頼する仕事に関する情報を、前記受注側ユーザーに送信もしくは出力する抽出結果送信手段と、
を備えたことを特徴とする仕事マッチングシステム。
【請求項５】
複数の依頼側ユーザーからの、他人に依頼したいと希望している仕事について、その仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、
前記複数の依頼側ユーザーと離れた場所に居る複数の受注側ユーザーであって、他人から依頼された仕事を行うことを希望している複数の受注側ユーザーからの、自分が現在居る現在場所に関するデータ（各受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、
前記複数の依頼側ユーザーからの依頼希望仕事データに含まれる仕事場所と前記複数の受注側ユーザーからの受注希望仕事データに含まれる現在場所とに基づいて、互いに場所が近いか若しくは適合する組み合せを抽出もしくは選択する抽出手段と、
前記抽出手段により抽出もしくは選択された結果を、前記抽出もしくは選択された組み合せに係る依頼側及び受注側の双方もしくは一方のユーザーに、送信もしくは出力する抽出結果送信手段と、
を備えたことを特徴とする仕事マッチングシステム。
【請求項６】
他人から依頼された仕事を行うことを希望している複数の受注側ユーザーからの、「自分が将来の或る日時に居る場所、及びその将来の日時を含む受注希望仕事データ」を、受信もしくは取得する受注希望仕事データ受信手段と、
前記受注側ユーザーと離れた場所に居る複数の依頼側ユーザーからの、「他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）、及びその仕事を行うべき日時に関するデータを含む依頼希望仕事データ」を、受信もしくは取得する依頼希望仕事データ受信手段と、
前記複数の依頼側ユーザーからの各依頼希望仕事データに含まれる仕事の場所及び日時と、前記複数の受注側ユーザーからの受注希望仕事データに含まれる自分が将来の或る日時に居る場所及びその将来の日時とに基づいて、互いに前記将来の日時における場所及びその将来の日時が適合する組み合せを抽出もしくは選択する抽出手段と、
前記抽出手段により抽出もしくは選択された結果を、前記抽出もしくは選択された組み合せに係る依頼側及び受注側の双方もしくは一方のユーザーに、送信もしくは出力する抽出結果送信手段と、
を備えたことを特徴とする仕事マッチングシステム。
【発明の詳細な説明】
【０００１】
【産業上の利用分野】
本発明は、インターネットなどのネットワークを利用して、「日本各地又は世界各地に散在する多数の個人ユーザー又は企業ユーザーの、他人からの仕事を受注したいというニーズ」を他人との間でマッチングするシステムに関する。
【０００２】
【従来の技術】
従来より、株式会社リクルートが発行する雑誌「じゃらん」では、多数の購読者（ユーザー）が、自分の売りたい物などを投稿したり、自分が買いたい物を投稿して、双方又は一方のニーズのマッチングを図ることが行われている。しかしながら、この紙媒体の「じゃらん」では、時々刻々と世界各地を移動したり散在している個人ユーザーの「現在位置」をキーとしてほぼリアルタイムに仕事のマッチングを行うことは不可能である。
また、運送トラック業者が往路の積荷を下ろした後の復路では特に積荷が見付けられないために、積荷無しの空のまま帰らなければならなかったという欠点を克服するために、最近、インターネットを使用して、トラックの積荷を依頼する荷主の発注ニーズと、復路が空になってしまうトラック運送業者の受注ニーズとをマッチングさせるサービスが提供されている。例えば、日本デジコム（京都市）は、「インターネット積荷情報システム」というホームページ（ｈｔｔｐ：／／ｗｗｗ．ｄｇｃｏｍ．ｃｏ．ｊｐ／）で、荷主企業に荷物についての輸送希望日時、発着地、荷姿、必要なトラックの大きさや種類、希望輸送料金などを入力（登録）させて公開すると共に、運送業者に空きトラックがどこに何時あるかなどを入力（登録）させて公開し、荷主と運送業者との相互の情報交換の場を提供している（以上、２０００年２月１８日付け日経産業新聞の記事「ニューサービス最前線  日本デジコム  荷主と運送業者マッチング」より）。このように、最近では、インターネットを利用して運送トラックの空き情報や積荷情報を提供する物流の私的な電子市場が開設されており、これにより、運送トラックは、往路も復路も積荷を積んで走ることができ、空荷で走る無駄を少なくすることが実現されている。しかしながら、このような「運送トラックの積荷の情報を荷主と運送業者との間でインターネットを使用してマッチングさせるサービス」では、時々刻々と世界各地を移動したり散在している個人ユーザーの「現在位置」（又は「予定位置（将来のある時点で居る予定の場所）」）をキーとしてほぼリアルタイムに仕事のマッチングを行うことは不可能である。つまり、「予め行き先と経路（ほとんどが高速道路を通る）が決まっているトラック」と「道路に限らず、建物などの施設や公園などあらゆる場所に移動・滞留したり存在することが可能である個人ユーザー（そして、その現在場所（又は予定場所）での仕事を求める個人ユーザー）」とは、全くその特性が異なっているので、前記のトラック便のサービスをそのまま個人ユーザーに適用することはできないということは明らかである。
また、１９９６年１月２５日に日刊工業新聞社から発行された「アールキューブ（立花隆・吉川弘之著）」という書籍では、「遠隔地に人間型ロボットを待機させておき、遠隔地から、ユーザーがそのロボットを遠隔操作して、あたかも自分が遠隔地に居るのと同じように仕事をしたり体験したりすることを実現するための、アールキューブ構想」が紹介されている。これは、遠隔地で今すぐある仕事をしたいユーザーのニーズを「遠隔操作できるロボット」を利用することにより実現することを狙った構想であるが、その実現は数１０年後とも言われており、当面は「願望」に過ぎず、「発明」とは言えないレベルのものに止まっている。
【０００３】
【発明が解決しようとする課題】
本発明は、「様々な場所に散在し且つ時々刻々と移動している多数の個人ユーザー、若しくはそのような個人が所属している企業ユーザー」（受注側）が、「前記各個人が今居る現在場所」又はその近くで手軽に若しくは即時的に仕事を受注することを可能にする、又は、そのようなユーザーに発注側が手軽に若しくは即時的に仕事を依頼（発注）することを可能にする、仕事マッチングシステムを提供することを目的とする。
【０００４】
【課題を解決するための手段】
第１  用語説明
本発明において、他人に仕事をしてもらうことを希望するユーザーも、他人から依頼された仕事を請け負うことを希望するユーザーも、いずれもが、仕事をしてもらいたい場所のデータとして又は仕事を請け負う場所のデータとして、それぞれのユーザーが携帯するＧＰＳ受信機により取得される現在位置座標データを入力するようにすれば、各ユーザーは、いちいちキーボードなどで住所や目印となる施設名称などを入力する手間が省けるので、大変に便利である。すなわち、「ユーザーが携帯するＧＰＳ受信機により取得される現在位置座標データ」は、ＧＰＳ受信機により、自動的に（ユーザーが自分でキーボードなどを使用して入力することなく）得られるものであるから、ユーザーは、このＧＰＳ受信機により得られた現在位置座標データを入力することは極めて手軽に行うことができる。なお、本発明において、他人に仕事をしてもらうことを希望するユーザー側が、「ユーザーが携帯するＧＰＳ受信機により取得される現在位置座標データ」を入力する場合というのは、「他人に仕事を依頼することを希望するユーザーがその仕事の場所として希望している場所が、そのユーザーの現在居る場所（例えば、そのユーザーが在宅しているときの自宅の場所、そのユーザーが仕事をしているときのオフィスの場所など）であるという場合」であるが、このような場合は、実際上、極めて多いと思われる。また、本発明において、前記の「ユーザーが携帯するＧＰＳ受信機」には、例えば、携帯電話・ＰＤＡ（携帯情報端末）・ノート型パソコンなどの携帯型情報機器に内蔵又は外付けされたＧＰＳ受信機や、腕時計・ペンダント・ブレスレット・ブローチ・バンド（腰ベルト）・靴・メガネなどに内蔵又は外付けされたＧＰＳ受信機などである。
本発明において、「場所データ」「位置データ」という用語は、例えば、ＧＰＳなどで使用される地図上の位置座標データなどが代表的であるが、それ以外に、住所、場所の目安（目印）となる施設名称、なども含まれる。
本発明において、依頼希望仕事データや受注希望仕事データなどの「入力」は、例えば、「ユーザーが保有する通信端末からネットワークを介して送信することにより、ネットワークに接続されたコンピュータ（サーバーなど）に入力すること」、をも含む。
本発明において、仕事を依頼する側のユーザーＡは、個人でも法人でもよい。
また、本発明において、仕事を受注する側の「個人ユーザー」Ｂは、「実質的な個人ユーザー（仕事を受注するときの契約の名義人は、形式上、法人の名であってもよい）」の意味である。
また、本発明において、仕事を受注する側の「企業ユーザー」Ｂは、「複数の従業員を雇用する企業ユーザー」でもよい。このような「企業ユーザー」としては、例えば、全国的な警備会社（（警備のために日本各地に巡回・移動・滞在している多数の従業員を雇用している）、コンビニエンスストアやファミリーレストラン（商品や食材の運搬などのために日本各地に巡回・移動・滞在している多数の従業員を雇用している）、宅配便業者（荷物の運送のために日本各地に巡回・移動・滞在しているトラック運転手を従業員として雇用している）、タクシー会社（タクシーの運転のために日本各地に巡回・移動・滞在しているタクシー運転手を雇用している）、などがある。
本発明において、「仕事」とは、対価となる報酬が必要な「有償の仕事」だけでなく、ボランティアなどの「無償の仕事」をも含む。
本発明において、「離れた場所（ユーザーＡとユーザーＢとが互いに「離れた場所」に居るという場合の「離れた場所」）」とは、「遠隔の場所」と「近郊の場所」との両者を含むものである。
また、本発明において、「希望場所」のデータ及び「現在場所」のデータには、例えば、場所を示すための経度及び緯度から成る位置座標データ、住所データ、地名データ、施設名データ（公園の名前、競技場の名前、コンサートホールの名前、美術館の名前、地下鉄の駅の名前、など）などをも含む。
また、本発明において、個人ユーザーＢ又は企業ユーザーＢが（センターのサーバーなどに）入力（送信）する「現在位置（現在場所）データ」は、ユーザーＢがいちいち自分でインターネット上の「センターのサーバー」へ入力（送信）するものでもよいが、それ以外に、例えば、個人又は企業の従業員が携帯している携帯情報通信機器に備えられたＧＰＳ受信機により取得された現在位置データを、その携帯情報通信機器に内蔵されたコンピュータプログラム（通信ソフトウェア）などにより、所定時間毎に自動的にインターネットを介して「センターのサーバー」に入力（送信）するものなどでもよい。
本発明において、「依頼希望仕事データ」という語は、（１）少なくとも仕事を行うべき場所を含む場合、（２）少なくとも仕事を行うべき場所及びその仕事の希望報酬額を含む場合、又は、（３）仕事を行うべき場所、その仕事の報酬額、その仕事の内容、及びその仕事に適した人の属性（性別、年齢層、職業など）などの様々な事項を含む場合、などがありうる。
本発明において、「受注希望仕事データ」という語は、（１）少なくとも受注したい仕事を行う場所を示す場合、（２）少なくとも受注したい仕事の場所及びその仕事の希望報酬額を含む場合、又は、（３）受注したい仕事の場所、その仕事の希望報酬額、その仕事の内容、及び自分の属性（性別、年齢層、職業など）などの様々な事項を示す場合、などがある。
また、本発明において、「仕事の受注」という概念は、「仕事の請負」や「仕事の受任」などをも含む意味である。
また、本発明において、「公開手段」は、例えば、インターネットのホームページに内容を掲載して、ユーザーに画面での閲覧を可能にするためのサーバー（所定のプログラムを蓄積し実行するためのインターネットに接続されたコンピュータ）又はそのためのコンピュータプログラムの記録媒体、などを含む。
第２  本願の「特許請求の範囲に記載された発明」以外の発明
本願の「特許請求の範囲に記載された発明そのもの」ではないが、本明細書の中では次のような発明も提案・開示されている
１．  ユーザーＡが、他人に依頼したいと希望している仕事が行われるべき仕事場所に関するデータ（ユーザーが携帯するＧＰＳ受信機により取得される現在位置座標データ、住所、又は、場所の目安（目印）となる施設名称など）を入力するための希望場所入力手段と、前記ユーザーＡと離れた場所に居る個人ユーザーであって、他人から依頼された仕事を行うことを希望している個人ユーザーＢが、自分が現在居る現在場所に関するデータ（ユーザーが携帯するＧＰＳ受信機により取得される現在位置座標データ、住所、又は、場所の目安（目印）となる施設名称など）を入力するための現在場所入力手段と、前記ユーザーＡからの希望場所と前記個人ユーザーＢからの現在場所とが互いに同一もしくは近い場所であるかどうかを判定するための判定等手段と、前記ユーザーＡから入力された希望場所と前記個人ユーザーＢから入力された現在場所とが互いに同一もしくは近いものであると判定されたとき、そのことを、双方もしくは一方のユーザーに知らせるための告知手段と、を備えたことを特徴とする仕事マッチングシステム。
２．  ユーザーＡから入力された、ユーザーＡが他人に依頼したいと希望している仕事が行われるべき仕事場所に関するデータ（ユーザーが携帯するＧＰＳ受信機により取得される現在位置座標データ、住所、又は、場所の目安（目印）となる施設名称など）を受信するための希望場所受信手段と、前記ユーザーＡと離れた場所に居る個人ユーザーであって、他人から依頼された仕事を行うことを希望している個人ユーザーＢから入力された、個人ユーザーＢが現在居る現在場所に関するデータ（ユーザーが携帯するＧＰＳ受信機により取得される現在位置座標データ、住所、又は、場所の目安（目印）となる施設名称など）を受信するための現在場所受信手段と、前記ユーザーＡから入力された希望場所と前記個人ユーザーＢから入力された現在場所とが互いにほぼ同一もしくは近い場所であるかどうかを判定するための判定等手段と、前記ユーザーＡからの希望場所と前記個人ユーザーＢから入力された現在場所とが互いにほぼ同一もしくは近いものであると判定されたとき、そのことを、双方もしくは一方のユーザーに知らせるための告知手段と、を備えたことを特徴とする仕事マッチングシステム。
３．  ユーザーＡが、他人に依頼したいと希望している仕事について、その仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを入力するための依頼希望仕事データ入力手段と、前記ユーザーＡと離れた場所に居る個人ユーザーであって、他人から依頼された仕事を行うことを希望している個人ユーザーＢが、自分が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを入力するための受注希望仕事データ入力手段と、前記ユーザーＡからの依頼希望仕事データと前記個人ユーザーＢからの受注希望仕事データとが互いに同一もしくは近いものかどうかを判定するための判定等手段と、前記ユーザーＡからの依頼希望仕事データと前記個人ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
４．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを受信するための依頼希望仕事データ受信手段と、前記ユーザーＡと離れた場所に居る個人ユーザーであって、他人から依頼された仕事を行うことを希望している個人ユーザーＢからの、自分が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを受信するための受注希望仕事データ受信手段と、前記ユーザーＡからの依頼希望仕事データと前記個人ユーザーＢからの受注希望仕事データとが互いに同一もしくは近いものかどうかを判定するための判定等手段と、前記ユーザーＡからの依頼希望仕事データと前記個人ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
５．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及びその仕事の最高報酬額を含む依頼希望仕事データを入力するための依頼希望仕事データ入力手段と、このユーザーＡからの依頼希望仕事データの内容を、少なくとも所定の資格を有する者がネットワークを介して知ることができるように公開する公開手段と、前記ユーザーＡと離れた場所に居る個人ユーザーであって、他人から依頼された仕事を行うことを希望している複数の個人ユーザーＢ１，Ｂ２，Ｂ３・・・が、それぞれ、自分が現在居る現在場所データ（ユーザーが携帯するＧＰＳ受信機により取得される現在位置座標データ、住所、又は、場所の目安（目印）となる施設名称など）及び自分が前記公開された依頼希望仕事データの仕事を行う場合の希望報酬額を含む受注希望仕事データを入力するための受注希望仕事データ入力手段と、前記個人ユーザーＢ１，Ｂ２，Ｂ３・・・からの各受注希望仕事データの中から、前記ユーザーＡからの依頼希望仕事データとある程度適合しており、且つ、最も低い報酬額を含んでいる受注希望仕事データを選別する選別手段と、この選別の結果を、少なくとも前記ユーザーＡに知らせるための告知手段と、を備えたことを特徴とする仕事マッチングシステム。
６．  他人から依頼された仕事を行うことを希望している個人ユーザーＢが、自分が現在居る現在場所データ（ユーザーが携帯するＧＰＳ受信機により取得される現在位置座標データ、住所、又は、場所の目安（目印）となる施設名称など）及び自分が仕事を行う場合の最低報酬額を含む受注希望仕事データを入力するための受注希望仕事データ入力手段と、この個人ユーザーＢからの受注希望仕事データを少なくとも所定の資格を有する者がネットワークを介して知ることができるように公開する公開手段と、前記個人ユーザーＢと離れた場所に居る複数のユーザーＡ１，Ａ２，Ａ３・・・が、それぞれ、前記の公開された受注希望仕事データを入力した個人ユーザーＢに依頼することを希望する仕事が行われるべき場所（ユーザーが携帯するＧＰＳ受信機により取得される現在位置座標データ、住所、又は、場所の目安（目印）となる施設名称など）及びその仕事の希望報酬額を含む依頼希望仕事データを入力するための依頼希望仕事データ入力手段と、前記ユーザーＡ１，Ａ２，Ａ３・・・からの各依頼希望仕事データの中から、前記個人ユーザーＢからの受注希望仕事データとある程度適合しており、且つ、最も高い報酬額を含んでいる依頼希望仕事データを選別する選別手段と、この選別の結果を、少なくとも前記個人ユーザーＢに知らせるための告知手段と、を備えたことを特徴とする仕事マッチングシステム。
７．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを入力するための依頼希望仕事データ入力手段と、前記ユーザーＡと離れた場所に居る個人ユーザーであって、他人から依頼された仕事を行うことを希望している個人ユーザーＢが、自分が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを入力するための受注希望仕事データ入力手段と、前記ユーザーＡからの依頼希望仕事データと前記個人ユーザーＢからの受注希望仕事データとが互いに同一もしくは近いものであるかどうかを判定するための判定等手段と、前記ユーザーＡからの依頼希望仕事データと前記個人ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
８．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを受信するための依頼希望仕事データ受信手段と、前記ユーザーＡと離れた場所に居る個人ユーザーであって、他人から依頼された仕事を行うことを希望している個人ユーザーＢからの、自分が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを受信するための受注希望仕事データ受信手段と、前記ユーザーＡからの依頼希望仕事データと前記個人ユーザーＢからの受注希望仕事データとが互いに同一もしくは近いものであるかどうかを判定するための判定等手段と、前記ユーザーＡからの依頼希望仕事データと前記個人ユーザーＢからの受注希望仕事データとが互いに同一もしくは近いものであると判定されたき、そのことを、双方もしくは一方のユーザーに知らせるための告知手段と、を備えたことを特徴とする仕事マッチングシステム。
９．  ユーザーＡが、他人に依頼したいと希望している仕事が行われるべき仕事場所に関するデータ（ユーザーが携帯するＧＰＳ受信機により取得される現在位置座標データ、住所、又は、場所の目安（目印）となる施設名称など）を入力するための希望場所入力手段と、前記ユーザーＡと離れた場所に居る従業員を有する企業ユーザーであって、他人から依頼された仕事を行うことを希望している企業ユーザーＢが、その従業員が現在居る現在場所に関するデータ（ユーザーが携帯するＧＰＳ受信機により取得される現在位置座標データ、住所、又は、場所の目安（目印）となる施設名称など）を入力するための現在場所入力手段と、前記ユーザーＡからの希望場所と前記企業ユーザーＢからの従業員の現在場所とが互いに同一もしくは近い場所であるかどうかを判定するための判定等手段と、前記ユーザーＡからの希望場所と前記企業ユーザーＢからの従業員の現在場所とが互いに同一もしくは近いものであると判定されたとき、そのことを、双方もしくは一方のユーザーに知らせるための告知手段と、を備えたことを特徴とする仕事マッチングシステム。
１０．  ユーザーＡからの、ユーザーＡが他人に依頼したいと希望している仕事が行われるべき場所（ユーザーが携帯するＧＰＳ受信機により取得される現在位置座標データ、住所、又は、場所の目安（目印）となる施設名称など）に関する希望場所データを受信するための希望場所受信手段と、前記ユーザーＡと離れた場所に居る企業ユーザーであって、他人から依頼された仕事を行うことを希望している企業ユーザーＢからの、その従業員が現在居る現在場所に関するデータ（ユーザーが携帯するＧＰＳ受信機により取得される現在位置座標データ、住所、又は、場所の目安（目印）となる施設名称など）を受信するための現在場所受信手段と、前記ユーザーＡからの希望場所と前記企業ユーザーＢからのその従業員の現在場所とが互いに同一もしくは近い場所であるかどうかを判定するための判定等手段と、前記ユーザーＡからの希望場所と前記企業ユーザーＢからのその従業員の現在場所とが互いに同一もしくは近いものであると判定されたとき、そのことを、双方もしくは一方のユーザーに知らせるための告知手段と、を備えたことを特徴とする仕事マッチングシステム。
１１．  ユーザーＡが、他人に依頼したいと希望している仕事について、その仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを入力するための依頼希望仕事データ入力手段と、前記ユーザーＡと離れた場所に居る企業ユーザーであって、他人から依頼された仕事を行うことを希望している企業ユーザーＢが、その従業員が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを入力するための受注希望仕事データ入力手段と、前記ユーザーＡからの依頼希望仕事データと前記企業ユーザーＢからの受注希望仕事データとが互いに同一もしくは近いものかどうかを判定するための判定等手段と、前記ユーザーＡからの依頼希望仕事データと前記企業ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
１２．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを受信するための依頼希望仕事データ受信手段と、前記ユーザーＡと離れた場所に居る企業ユーザーであって、他人から依頼された仕事を行うことを希望している企業ユーザーＢからの、その従業員が現在居る現在場所のデータ（ユーザーが携帯するＧＰＳ受信機により取得される現在位置座標データ、住所、又は、場所の目安（目印）となる施設名称など）及び自分が仕事を行う場合の報酬を含む受注希望仕事データを受信するための受注希望仕事データ受信手段と、前記ユーザーＡからの依頼希望仕事データと前記企業ユーザーＢからの受注希望仕事データとが互いに同一もしくは近いものかどうかを判定するための判定等手段と、前記ユーザーＡからの依頼希望仕事データと前記企業ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
１３．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及びその仕事の最高報酬額を含む依頼希望仕事データを入力するための依頼希望仕事データ入力手段と、このユーザーＡからの依頼希望仕事データの内容を、少なくとも所定の資格を有する者がネットワークを介して知ることができるように公開する公開手段と、前記ユーザーＡと離れた場所に居る企業ユーザーであって、他人から依頼された仕事を行うことを希望している複数の企業ユーザーＢ１，Ｂ２，Ｂ３・・・が、それぞれ、その従業員が現在居る現在場所のデータ（ユーザーが携帯するＧＰＳ受信機により取得される現在位置座標データ、住所、又は、場所の目安（目印）となる施設名称など）及び自社が前記公開された依頼希望仕事データの仕事を行う場合の希望報酬額を含む受注希望仕事データを入力するための受注希望仕事データ入力手段と、前記企業ユーザーＢ１，Ｂ２，Ｂ３・・・からの各受注希望仕事データの中から、前記ユーザーＡからの依頼希望仕事データとある程度適合しており、且つ、最も低い報酬額を含んでいる受注希望仕事データを選別する選別手段と、この選別の結果を、少なくとも前記ユーザーＡに知らせるための告知手段と、
を備えたことを特徴とする仕事マッチングシステム。
１４．  他人から依頼された仕事を行うことを希望している企業ユーザーＢが、その従業員が現在居る現在場所（ユーザーが携帯するＧＰＳ受信機により取得される現在位置座標データ、住所、又は、場所の目安（目印）となる施設名称など）及び自社が仕事を行う場合の最低報酬額を含む受注希望仕事データを入力するための受注希望仕事データ入力手段と、この企業ユーザーＢからの受注希望仕事データを少なくとも所定の資格を有する者がネットワークを介して知ることができるように公開する公開手段と、前記企業ユーザーＢと離れた場所に居る複数のユーザーＡ１，Ａ２，Ａ３・・・が、それぞれ、前記の公開された受注希望仕事データを入力した企業ユーザーＢに依頼することを希望する仕事が行われるべき場所（ユーザーが携帯するＧＰＳ受信機により取得される現在位置座標データ、住所、又は、場所の目安（目印）となる施設名称など）及びその仕事の希望報酬額を含む依頼希望仕事データを入力するための依頼希望仕事データ入力手段と、前記ユーザーＡ１，Ａ２，Ａ３・・・からの各依頼希望仕事データの中から、前記企業ユーザーＢからの受注希望仕事データとある程度適合しており、且つ、最も高い報酬額を含んでいる依頼希望仕事データを選別する選別手段と、この選別の結果を、少なくとも前記企業ユーザーＢに知らせるための告知手段と、を備えたことを特徴とする仕事マッチングシステム。
１５．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを入力するための依頼希望仕事データ入力手段と、前記ユーザーＡと離れた場所に居る企業ユーザーであって、他人から依頼された仕事を行うことを希望している企業ユーザーＢが、自社が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを入力するための受注希望仕事データ入力手段と、前記ユーザーＡからの依頼希望仕事データと前記企業ユーザーＢからの受注希望仕事データとが互いに同一もしくは近いものであるかどうかを判定するための判定等手段と、前記ユーザーＡからの依頼希望仕事データと前記企業ユーザーＢからの受注希望仕事データとが互いに同一もしくは近いものであると判定されたとき、そのことを、双方もしくは一方のユーザーに知らせるための告知手段と、を備えたことを特徴とする仕事マッチングシステム。
１６．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを受信するための依頼希望仕事データ受信手段と、前記ユーザーＡと離れた場所に居る企業ユーザーであって、他人から依頼された仕事を行うことを希望している企業ユーザーＢからの、自社が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを受信するための受注希望仕事データ受信手段と、前記ユーザーＡからの依頼希望仕事データと前記企業ユーザーＢからの受注希望仕事データとが互いに同一もしくは近いものであるかどうかを判定するための判定等手段と、前記ユーザーＡからの依頼希望仕事データと前記企業ユーザーＢからの受注希望仕事データとが互いに同一もしくは近いものであると判定されたき、そのことを、双方もしくは一方のユーザーに知らせるための告知手段と、を備えたことを特徴とする仕事マッチングシステム。
１７．  ユーザーＡが、他人に依頼したいと希望している仕事が行われるべき仕事場所に関するデータ（ユーザーが携帯するＧＰＳ受信機により取得される現在位置座標データ、住所、又は、場所の目安（目印）となる施設名称など）を入力する希望場所データ入力ステップと、前記希望場所データ入力ステップに前後して又はこれと同時に行われ得るステップであって、前記ユーザーＡと離れた場所に居る個人ユーザーであって、他人から依頼された仕事を行うことを希望している個人ユーザーＢが、自分が現在居る現在場所に関するデータ（ユーザーが携帯するＧＰＳ受信機により取得される現在位置座標データ、住所、又は、場所の目安（目印）となる施設名称など）を入力する現在場所入力ステップと、前記ユーザーＡからの希望場所と前記個人ユーザーＢからの現在場所とが互いに同一もしくは近い場所であるかどうかを判定するための判定ステップと、前記ユーザーＡからの希望場所と前記個人ユーザーＢからの現在場所とが互いに同一もしくは近いものであると判定されたとき、そのことを、双方もしくは一方のユーザーに知らせるための通知ステップと、を含むことを特徴とする仕事マッチング方法。
【０００５】
（本発明の内容）
第１  本願の特許請求の範囲に記載された発明の内容
１  依頼側ユーザーからの、依頼側ユーザーが他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を、受信もしくは取得する仕事場所受信手段と、前記依頼側ユーザーと離れた場所に居る受注側ユーザーであって、他人から依頼された仕事を行うことを希望している受注側ユーザーからの、受注側ユーザーが現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を、受信もしくは取得する現在場所受信手段と、前記依頼側ユーザーからの仕事場所と前記受注側ユーザーからの現在場所とが互いにほぼ同一もしくは近い場所であるかどうかを判定する、又は、前記依頼側ユーザーからの仕事場所と前記受注側ユーザーからの現在場所とが互いにほぼ同一もしくは近い場所であるような組合せを抽出する判定等手段と、前記依頼側ユーザーからの仕事場所と前記受注側ユーザーからの現在場所とが互いにほぼ同一もしくは近いものであると判定されたとき又はそのような組合せが抽出されたとき、そのこと又はそのような組合せを、前記依頼側及び受注側の双方もしくは一方のユーザーに知らせる告知手段と、を備えたことを特徴とする仕事マッチングシステム。
２  依頼側ユーザーが、他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を、入力もしくは送信する仕事場所送信手段と、前記依頼側ユーザーと離れた場所に居る受注側ユーザーであって、他人から依頼された仕事を行うことを希望している受注側ユーザーが、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を、入力もしくは送信する現在場所送信手段と、前記依頼側ユーザーからの仕事場所と前記受注側ユーザーからの現在場所とが互いに同一もしくは近い場所であるかどうかを判定する、又は互いに同一もしくは近い場所であるような組合せを抽出する判定等手段と、前記依頼側ユーザーからの仕事場所と前記受注側ユーザーからの現在場所とが互いに同一もしくは近いものであると判定されたとき、又はそのような組合せが抽出されたとき、そのこと又はそのような組合せを、前記依頼側及び受注側の双方もしくは一方のユーザーに知らせる告知手段と、を備えたことを特徴とする仕事マッチングシステム。
３  依頼側ユーザーからの、他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、前記依頼側ユーザーと離れた場所に居る複数の受注側ユーザーであって、他人から依頼された仕事を行うことを希望している複数の受注側ユーザーからの、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、少なくとも前記依頼側ユーザーからの依頼希望仕事データに含まれる仕事場所と前記複数の受注側ユーザーからの各受注希望仕事データに含まれる現在場所とに基づいて、前記複数の受注希望仕事データの中から、前記依頼側ユーザーからの依頼希望仕事データに含まれる仕事場所と適合する現在場所を含む受注希望仕事データもしくはその受注側ユーザーを、抽出もしくは選択する抽出手段と、前記抽出手段により抽出もしくは選択された受注希望仕事データもしくはその受注側ユーザーに関する情報を、前記依頼側ユーザー側に送信もしくは出力する情報送信手段と、を備えたことを特徴とする仕事マッチングシステム。
４  複数の依頼側ユーザーからの、他人に依頼したいと希望している仕事についての、その仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、前記複数の依頼側ユーザーと離れた場所に居る受注側ユーザーであって、他人から依頼された仕事を行うことを希望している受注側ユーザーからの、自分が現在居る現在場所に関するデータ（受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、少なくとも前記複数の依頼側ユーザーからの各依頼希望仕事データに含まれる仕事場所と前記受注側ユーザーからの受注希望仕事データに含まれる現在場所とに基づいて、前記複数の依頼希望仕事データの中から、前記受注側ユーザーからの受注希望仕事データに含まれる現在場所と適合する仕事場所を含む依頼希望仕事データもしくはその依頼側ユーザーを抽出もしくは選択する抽出手段と、前記抽出手段により抽出もしくは選択された依頼希望仕事データもしくはその依頼側ユーザー又はその依頼する仕事に関する情報を、前記受注側ユーザーに送信もしくは出力する抽出結果送信手段と、を備えたことを特徴とする仕事マッチングシステム。
５  複数の依頼側ユーザーからの、他人に依頼したいと希望している仕事について、その仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）を含む依頼希望仕事データを、受信もしくは取得する依頼希望仕事データ受信手段と、前記複数の依頼側ユーザーと離れた場所に居る複数の受注側ユーザーであって、他人から依頼された仕事を行うことを希望している複数の受注側ユーザーからの、自分が現在居る現在場所に関するデータ（各受注側ユーザーが保有する機器に備えられたＧＰＳ受信機により取得されるデータ若しくはこれにより取得される現在位置座標データ、又はこれにより特定される地名、住所もしくはその場所の目安（目印）となる施設名称を示すデータ）を含む受注希望仕事データを、受信もしくは取得する受注希望仕事データ受信手段と、前記複数の依頼側ユーザーからの依頼希望仕事データに含まれる仕事場所と前記複数の受注側ユーザーからの受注希望仕事データに含まれる現在場所とに基づいて、互いに場所が近いか若しくは適合する組み合せを抽出もしくは選択する抽出手段と、前記抽出手段により抽出もしくは選択された結果を、前記抽出もしくは選択された組み合せに係る依頼側及び受注側の双方もしくは一方のユーザーに、送信もしくは出力する抽出結果送信手段と、を備えたことを特徴とする仕事マッチングシステム。
６  他人から依頼された仕事を行うことを希望している複数の受注側ユーザーからの、「自分が将来の或る日時に居る場所、及びその将来の日時を含む受注希望仕事データ」を、受信もしくは取得する受注希望仕事データ受信手段と、前記受注側ユーザーと離れた場所に居る複数の依頼側ユーザーからの、「他人に依頼したいと希望している仕事が行われるべき仕事場所に関するデータ（前記仕事が行われるべき場所を示す地名、住所もしくはその場所の目安（目印）となる施設名称を示すデータ、又は、依頼側ユーザーが保有する機器に備えられたＧＰＳ受信機により取得されるデータ若しくはこれにより取得される現在位置座標データ）、及びその仕事を行うべき日時に関するデータを含む依頼希望仕事データ」を、受信もしくは取得する依頼希望仕事データ受信手段と、前記複数の依頼側ユーザーからの各依頼希望仕事データに含まれる仕事の場所及び日時と、前記複数の受注側ユーザーからの受注希望仕事データに含まれる自分が将来の或る日時に居る場所及びその将来の日時とに基づいて、互いに前記将来の日時における場所及びその将来の日時が適合する組み合せを抽出もしくは選択する抽出手段と、前記抽出手段により抽出もしくは選択された結果を、前記抽出もしくは選択された組み合せに係る依頼側及び受注側の双方もしくは一方のユーザーに、送信もしくは出力する抽出結果送信手段と、を備えたことを特徴とする仕事マッチングシステム。
【０００６】
【発明の実施の形態】
実施形態１．
図１（ａ）は、本発明の実施形態１を示すブロック図である。図１（ａ）において、１はインターネット、２はインターネット１に接続されたユーザーＡの情報通信端末（以下、「パーソナルコンピュータなどの情報通信端末」を、単に「端末」と略す）、３はインターネット１に接続された個人ユーザーＢの端末、３ａは端末３に備えられたＧＰＳ受信機（グローバルポジショニングシステム用の衛星電波から現在位置を求めるための装置）、４はインターネット１に接続されたユーザーＣの端末、４ａは端末４に備えられたＧＰＳ受信機、５はインターネット１に接続されたサーバー（後述のマッチング処理を行うための「センター」側のコンピュータ）、である。本実施形態１では、前記サーバー５の記録媒体の中に、本発明によるマッチング処理を行うためのコンピュータプログラムが記録されている。このコンピュータプログラムによる処理内容は、以下の記述で明らかにされる。
【０００７】
次に、本実施形態１の動作を説明する。ここでは、東京都に住むユーザーＡが、遠隔の山口県山口市○○町という住所にある自分の祖先の墓の掃除という仕事を、「現在、たまたま、山口県山口市○○町という住所にある自分の祖先の墓の近くに居る人（個人）」に依頼して、今すぐ行ってもらいたい、と希望した場合、を例にして説明する。また、この場合、前記サーバー５は、一定の会員（有料会員かどうかを問わない）に対して、インターネットを介して、仕事の依頼を希望する側と仕事の受注を希望する側とのマッチング・仲介をするサービスをするためのものである。また、この場合、各ユーザーＡ，Ｂ，Ｃは、それぞれサーバー５に会員登録を既に行っており、それぞれ、サーバー５により、ＩＤ（身分証明データ）の発行とパスワードの設定を行ってもらっているものとする。
【０００８】
この場合、まず、ユーザーＡは、端末２から、サーバー５に、インターネット１を介して、「仕事をすべき場所、仕事の内容、仕事の予定報酬額」などの依頼希望仕事データを、自分のＩＤ及びパスワードと共に、送信（入力）する。具体的には、ユーザーＡの端末２からサーバー５に、「仕事をすべき場所（山口県山口市○○町という住所にある自分の祖先の墓の場所）、仕事の内容（墓の掃除）、仕事の予定報酬額（最高５千円）」という依頼希望仕事データが、送信（入力）される。
【０００９】
また、個人ユーザーＢ，Ｃは、前記ユーザーＡによる入力と同時に又は前後して、それぞれ、「自分の現在位置に関する場所データ（ＧＰＳ受信機３ａ，４ａから得られる位置座標データでもよいし、住所地データ、地名データ、施設名データなどでもよい）、希望報酬額」などの仕事受注希望データを、サーバー５へ送信（入力）する。具体的には、例えば、個人ユーザーＢは、「現在、山口県山口市の＊＊駅の近くに居る、希望報酬額は４千円」という仕事受注希望データをサーバー５に送信する。また、ユーザーＣは、「現在、山口県山口市○○町という地域に居る、希望報酬額は４千円」という仕事受注希望データをサーバー５に送信する。
【００１０】
これらのデータが前記各ユーザーＡ，Ｂ，Ｃから入力されると、サーバー５は、直ちに（ほぼリアルタイムに）、前記ユーザーＡからの依頼希望仕事データと、前記各個人ユーザーＢ，Ｃからの各受注希望仕事データとを、互いに比較・照合する。すなわち、サーバー５は、前記Ａからの依頼希望仕事データと前記Ｂからの受注希望仕事データとを比較すると共に、前記Ａからの依頼希望仕事データと前記Ｃからの受注希望仕事データとを比較する。そして、より多く条件（場所などの条件）が合致しているユーザーＡからの依頼希望仕事データとユーザーＣからの仕事受注希望データとを、互いに「ほぼ同一又は近い」と判定する。すなわち、前述のように、ユーザーＢの現在場所は「山口県山口市の＊＊駅の近く」であるのに対して、ユーザーＣの現在場所は「山口県山口市○○町」であるので、サーバー５は、ユーザーＣの現在場所の方が、ユーザーＡの依頼希望仕事データの中の仕事の場所と「ほぼ同一又は近い」と判定する。
【００１１】
そして、サーバー５は、前記の各ユーザーＡ及びＣに、この判定結果又はそれぞれの希望仕事データを、通知する。このとき、サーバー５は、以上のマッチング処理の対価（サーバー５によるマッチング・サービスの利用料）として、所定金額（例えば、成約した報酬額の所定割合額）を一方又は双方のユーザーから徴収するようにしてもよい（徴収方法は、例えば、電子マネー決済、クレジットカード決済、電話代に加算して電話代と一緒に課金する方法などが可能である）。また、このとき、サーバー、ユーザーＡ，Ｃに、それぞれのユーザーの電子メールアドレスかＩＥ（インスタントメッセージ）又はチャット用のアドレス又は携帯電話番号を教える。サーバーからの通知を受けたユーザーＡ，Ｃは、双方が独自に、電子メール（電子メールアドレスはサーバー５から連絡される）やＩＥやチャットなどの通信・会話手段で連絡をとって、以後の取引（仕事の依頼と報酬の支払の契約、及び、その実行）を行うことができる。
【００１２】
また、本実施形態１では、ユーザーＡとユーザーＣとの間での、仕事の具体的な依頼と報酬の支払方法の取り決め（契約）についても、また、報酬の支払いの決済（クレジットカード決済や電子マネーによる決済など）についても、サーバー５が（サーバー５に蓄積されたコンピュータプログラムにより自動的に）仲介又は代行することも、可能である（最近の、米イー・ベイ、ヤフー、ビッダーズ、などのインターネット関連ビジネスを行う企業がインターネット上で実用化している「ネット・オークション」事業のための技術＝コンピュータプログラムなどを使用すれば、可能である）。このときも、サーバー５は、前記の代行・仲介の手数料を、一方又は双方のユーザーが徴収するようにしてもよい。
【００１３】
また、本実施形態１において、サーバー５は、図１（ｂ）に示すように、ユーザーＡを含む仕事を依頼する側（一人又は複数人）が入力した依頼希望仕事データを、例えば一覧表などの形で、所定の資格を有する者（サーバー５が提供するサービスを受けられる資格を持っている者＝サーバー５の提供するサービスを受けられる会員のＩＤを有しているユーザー）がインターネットを介して閲覧できるように、公開するようにしてもよい（この場合、ユーザーのプライバシー情報は公開しないようにすることが望ましい）。このような公開をすれば、他人の仕事を受注したいと希望する一人又は複数の個人ユーザーＢ，Ｃ・・・は、図１（ｂ）の一覧表に示すような複数の依頼希望仕事データの情報を見て、自分の現在位置と同一か近い場所を含む依頼希望仕事データを見つけて、その受注を受けるべく（その仕事に応募すべく）、サーバー５に「自分の現在位置を示す場所データ、希望報酬額」などの受注希望仕事データを入力することができる。
【００１４】
また、本実施形態１では、サーバー５は、図１（ｃ）に示すように、個人ユーザーＢ，Ｃ・・・などの仕事の受注を希望するユーザー（一人又は複数人）側が入力した受注希望仕事データを、例えば一覧表などの形で、所定の資格を有する者（サーバー５が提供するサービスを受けられる資格を持っている者＝サーバー５の提供するサービスを受けられる会員のＩＤを有しているユーザー）がインターネットを介して閲覧できるように、公開するようにしてもよい（この場合、ユーザーのプライバシー情報は公開しないようにすることが望ましい）。このような公開をすれば、他人に仕事を依頼したいと希望するユーザーＡは、図１（ｃ）のような多数の受注希望仕事データの情報を見て、「自分が依頼したい仕事を行うべき場所」と同一又は近い場所を「現在場所（個人ユーザーＢ，Ｃ・・・の現在場所）」として含む受注希望仕事データを見つけて、その個人ユーザーに自分で連絡して仕事を依頼したり、その個人ユーザーに仕事を依頼（発注）することをサーバー５に要求したり、することができる。つまり、通常は、前述のように、サーバー５が自動的に「マッチング処理」をする（場所などの条件が最も適合するユーザーを判定・選定する）のであるが、ユーザーＡの方で、図１（ｃ）のような一覧表を見て、自分で「誰に仕事を依頼するか」を決めるようにしてもよい。
【００１５】
実施形態２．
次に、図２を参照して本発明の実施形態２を説明する。図２（ａ）において、図１と共通する部分には同一の符号を付している。図２（ａ）において、３Ｂ１，３Ｂ２，３Ｂ３はそれぞれ各個人ユーザーＢ１，Ｂ２，Ｂ３が保有する携帯型の情報通信端末である。また、３Ｂ１ａ，３Ｂ２ａ，３Ｂ３ａはそれぞれ前記端末３Ｂ１，３Ｂ２，３Ｂ３に備えられたＧＰＳ受信機である。本実施形態２においては、ユーザーＡが依頼を予定している仕事に関して、その仕事の受注を希望する複数の個人ユーザーＢ１，Ｂ２，Ｂ３の側が希望報酬額の切り下げ競争をする「オークション方式」（最も低い報酬額を提示した個人ユーザーのみが、仕事を受注できる、という方式）を採用している点で、実施形態１と異なっている（これ以外の構成は、実施形態１と基本的にほぼ同様である）。
【００１６】
説明のための例として、身体障害者で車椅子に乗っているユーザーＡが、現在、東京都渋谷区のＪＲ原宿駅に居り、「今現在（これから直ぐに）、誰かに車椅子を押してもらって原宿の町を散策したい、そして、その仕事（車椅子を押して原宿の町を１時間だけ散策させてもらうこと）の報酬額は最高額が５千円でできるだけ安い価格がよい」と希望したとする。この場合、ユーザーＡは、その端末２を使用して、「依頼を希望する仕事を行うべき場所、その仕事の最高報酬額、その仕事の内容」などの依頼希望仕事データを、サーバー５に送信（入力）する。具体的には、ユーザーＡは、「仕事の場所は原宿の町（ＪＲ原宿駅の近郊）、仕事の内容は車椅子を押してもらって原宿の町を１時間だけ一緒に散策すること、仕事の報酬の最高額は５千円まで」という依頼希望仕事データを、サーバー５に送信する。
【００１７】
すると、サーバー５は、このユーザーＡから入力（送信）された依頼希望仕事データを、直ちに（ほぼリアルタイムに）、自らが管理するインターネット１上のホームページにより公開する（ユーザーＡの個人名などのプライバシー情報は公開しない）。図２（ｂ）は、このときの、サーバー５により公開されたホームページの画面（個人ユーザーＢ１，Ｂ２，Ｂ３・・・がインターネットを介してサーバー５が管理するホームページにアクセスして閲覧できる画面）の一例を示すものである。この図２（ｂ）の画面１１の上半分の窓１２には、ユーザーＡがサーバー５に入力（送信）した依頼希望仕事データの内容（「ＪＲ原宿駅の近郊」という仕事の場所、「原宿の町を車椅子を押して散策」という仕事の内容、「５千円」という最高報酬額、及び、「２０００年２月１０日午前１１時」というオークションの受け付け締め切り日時）が、サーバー５により公開されている。
【００１８】
他人からの仕事を受注したいと希望する多数の個人ユーザーＢ１，Ｂ２，Ｂ３・・・は、それぞれ、このサーバー５が提供するホームページにアクセスして、図２（ｂ）に示すような画面を閲覧する。そして、個人ユーザーＢ１，Ｂ２，Ｂ３・・・は、ユーザーＡからの依頼希望仕事データ（図２（ｂ）の画面１１の上半分の窓１２に表示されている内容）を閲覧・参照して、自分がこの仕事を受注したいと思ったら、このオークションに参加するため、それぞれ、自分の現在位置を示す場所データと自分が希望する報酬額を、サーバー５に入力（送信）する。
【００１９】
すると、サーバー５は、まず、個人ユーザーＢ１が入力した「個人ユーザーＢ１の現在場所」がユーザーＡの依頼希望仕事データの中の「仕事の場所」と同一又は近いかどうかを判断すると共に、ユーザーＢ１からの「希望報酬額」がユーザーＡの入力した「最高報酬額」の５千円以下かどうかを判断する。この図２（ａ）の例では、個人ユーザーＢ１は、「現在場所として、ＪＲ原宿駅」「希望報酬額として５千円」を入力しているので、場所の点は同一又は近いものであるし、また、報酬額の点でも５千円以下なので、いずれもクリアしている。よって、サーバー５は、この個人ユーザーＢ１からの受注希望仕事データの内容（「Ｂ１５千円」）を、「現時点での落札予定の受注内容」として、図２（ｂ）の画面１１の下半分の窓１３の中に、表示する。
【００２０】
次に、サーバー５は、個人ユーザーＢ２からの受注希望仕事データの内容の中の個人ユーザーＢ２の現在場所がユーザーＡの依頼希望仕事データの中の場所と同一又は近いかどうかを判断すると共に、個人ユーザーＢからの希望報酬額がユーザーＡからの最高報酬額以下かどうかを判断する。この場合は、ユーザーＢ２の現在場所は、「ＪＲ池袋駅の近く」なので、ユーザーＡからの依頼希望仕事データの中の仕事の場所と「同じ又は近く」ではないので、サーバー５は、「場所の条件が合致しない」として、個人ユーザーＢ２からの受注の申込みを却下する。
【００２１】
さらに、サーバー５は、個人ユーザーＢ３が入力した現在場所がユーザーＡの依頼希望仕事データの中の仕事の場所と「同一又は近く」かどうかを判断すると共に、ユーザーＢ３からの希望報酬額がユーザーＡの入力した最高報酬額の５千円以下かどうか、さらに、個人ユーザーＢ３からの希望報酬額が「現在画面１１に表示されている個人ユーザーＢ１からの希望報酬額」よりも低いかどうかを判断する。この図２の例では、個人ユーザーＢ３は、「現在場所として、ＪＲ原宿駅」「希望報酬額として３千円」を入力しているので、場所の点は同一又は近いものであるし、また、報酬額の点でも「３千円」で「個人ユーザーＢ１が提示した５千円」よりも低いものなので、いずれの点もクリアしていると判断する。よって、サーバー５は、この個人ユーザーＢ３からの受注希望仕事データの内容（「Ｂ３  ３千円」）を、図２（ｂ）の画面１１の下半分の窓１３の中に、「現時点での落札予定の受注内容」として、表示する。
【００２２】
つまり、この場合は、サーバー５は、図２（ｂ）の画面１１の中の窓１３の中の表示（「現時点での落札予定の受注内容」）を、それまでに入力された最も低い報酬額であるユーザーＢ１からの「Ｂ１  ５千円」という内容から、ユーザーＢ３からの「Ｂ３  ３千円」という表示に、切り替えるようにする。このような処理（サーバー５に記録されたオークション用のコンピュータプログラムの実行による処理）により、前記の図２（ｂ）の画面１１の中の窓１３の中には、常に、ユーザーＡからの依頼希望仕事データに対する受注を希望する複数の個人ユーザーＢ１，Ｂ２，Ｂ３・・・からの各受注希望仕事データの中で、今までに最も低い報酬額を提示したユーザーからの受注希望仕事データ（特に、報酬額）のみが、「現時点での、落札予定の受注内容」として、表示されるようになっている（オークション受注方式）。
【００２３】
そして、このオークションの締め切り時までに、前記個人ユーザーＢ３が提示した報酬額よりも低い報酬額を提示したユーザーが他に出なかった場合は、この個人ユーザーＢ３が、このユーザーＡからの仕事を受注することに決定される。これにより、サーバー５から、このことが、ユーザーＡと個人ユーザーＢ３に、（双方の連絡先の電子メールなどと共に）通知される。また、この時点で、ユーザーＡと個人ユーザーＢ３との間で、仕事の依頼に関する契約（又は仮契約。報酬の支払方法なども含む）が締結される。なお、この場合に、サーバー５が、自動的に（コンピュータプログラムにより）、ユーザーＡと個人ユーザーＢ３との間の契約の締結や報酬の代金決済（クレジットカードや電子マネーによる決済）を代行することもできる（予め、ユーザーＡと個人ユーザーＢ３が、そのような代行・仲介をサーバー５を運営する「センター」側に依頼しているときなどは）。
【００２４】
実施形態２の他の動作例
また、図２に示す実施形態２の他の動作例を、次に説明する。サーバー５は、ユーザーＡからの依頼希望仕事データの入力があったときは、ユーザーＡからの依頼希望仕事データをホームページで公開する（図２（ｂ）の画面１１の上半分の窓１２のような表示を行う）。他の複数のユーザーは、このホームページに公開されたユーザーＡからの依頼希望仕事データを見ることができる。そして、このユーザーＡからの依頼希望仕事データの仕事を受注したいと希望する他の複数の個人ユーザーＢ１，Ｂ２，Ｂ３・・・は、それぞれ、「自分の現在位置に関する場所データ、仕事を請け負うときの希望報酬額」などの受注希望仕事データを、同時に又は順次、サーバー５に送信（入力）する。
【００２５】
具体的には、まず、個人ユーザーＢ２が、「現在、ＪＲ池袋駅に居る、希望報酬額は４千円」という受注希望仕事データをサーバー５に入力したとする。このとき、サーバー５は、前記ユーザーＡからの依頼希望仕事データと、前記各個人ユーザーＢ１からの受注希望仕事データとを比較し、まず、双方の場所的な条件が合致しているかどうかを判定する。すると、前述のように、個人ユーザーＢ２の現在位置は、「ＪＲ池袋駅」なので、個人ユーザーＢ２からの受注希望仕事データは「場所が合致していない」として、マッチング対象から除外する。
【００２６】
次に、個人ユーザーＢ１が、「現在、ＪＲ原宿駅の近くに居る、希望報酬額は５千円」という受注希望仕事データをサーバー５に入力したとする。このとき、サーバー５は、前記ユーザーＡからの依頼希望仕事データと、前記各個人ユーザーＢ１からの受注希望仕事データとを比較し、まず、場所的な条件が合致しているかどうかを判定する。すると、前述のように、個人ユーザーＢ１の現在位置は、「ＪＲ原宿駅」なので、個人ユーザーＢ１からの受注希望仕事データはユーザーＡからの依頼希望仕事データと「場所が合致している」と判定する。そこで、サーバー５は、この個人ユーザーＢ１からの受注希望仕事データを、ホームページに公開する。すなわち、図２(ｂ）に示すように、ホームページの閲覧画面１１では、上半分の窓１２にユーザーＡからの依頼希望仕事データが表示され、下半分の窓１３に、個人ユーザーＢ１からの受注希望仕事データの中の希望報酬額が表示される。他の多数の個人ユーザーは、このホームページにアクセスして、個人ユーザーＢ１からの希望報酬額を下回る金額でもこの仕事を受注したいと希望すれば、先の個人ユーザーＢ１と同様に、サーバー５に、自らの受注希望仕事データを送信する。
【００２７】
そして、次に、個人ユーザーＢ３が、「現在、ＪＲ原宿駅の近くに居る、希望報酬額は３千円」という受注希望仕事データをサーバー５に入力したとする。すると、サーバー５は、前記ユーザーＡからの依頼希望仕事データと、前記各個人ユーザーＢ３からの受注希望仕事データとを比較し、まず、場所的な条件が合致しているかどうかを判定する。すると、前述のように、個人ユーザーＢ３の現在位置は、「ＪＲ原宿駅」なので、個人ユーザーＢ３からの受注希望仕事データはユーザーＡからの依頼希望仕事データと「場所が合致している」と判定する。そこで、次に、サーバー５は、この個人ユーザーＢ３からの受注希望仕事データの中の希望報酬額（３千円）と現在ホームページに公開している個人ユーザーＢ１からの希望報酬額（５千円）とを比較して、より低い金額である「個人ユーザーＢ３からの受注希望仕事データの中の希望報酬額（３千円）」の方を、個人ユーザーＢ１からの希望報酬額（５千円）の表示に代えて、「現時点での、落札予定の受注内容」として、ホームページ画面１１の窓１３の中に、掲載する（報酬額のより低い方を採用するオークション方式なので）。
【００２８】
そして、この希望報酬額の「オークション」（仕事の受注を希望する多数の個人ユーザーＢ１，Ｂ２，Ｂ３・・・が、より低い報酬額を競い合うもの）の制限日時（オークションの閉め切り時刻）が経過したとき、それまでに最も低い金額を提示してホームページに掲載されていた個人ユーザーＢ３の希望報酬額（３千円）を含む受注希望仕事データが、採用（落札）される。そして、サーバー５から、ユーザーＡと個人ユーザーＢ３に、そのことが（双方のユーザーの電子メールなどの連絡先情報と共に）、通知される。その後は、ユーザーＡと個人ユーザーＢ３との間で取引契約が締結されるか、又は、契約（又は、仮契約）と決済をサーバー５が代行する。
【００２９】
実施形態３．
次に、図３を参照して本発明の実施形態３を説明する。図３（ａ）において、図１と共通する部分には同一の符号を付している。図３（ａ）において、２Ａ１，２Ａ２，２Ａ３はそれぞれ各ユーザーＡ１，Ａ２，Ａ３が保有する情報通信端末である。本実施形態３においては、特定の個人ユーザーＢに仕事を依頼したいと希望するユーザーＡ１，Ａ２，Ａ３・・・の側が報酬額の切り上げ競争をする「オークション方式」（最も高い報酬額を提示したユーザーが、特定の個人ユーザーＢに対して、仕事を依頼できるという方式）を採用している点で、実施形態１と異なっている（これ以外の構成は、実施形態１と基本的にほぼ同様である）。
【００３０】
説明のための例として、「現在海外旅行中で、現在、中華人民共和国の万里の長城に居る個人ユーザーＢ」が、「せっかく、今、万里の長城に居るのだから、この万里の長城でやってほしいと依頼してもらえる仕事があれば受注したい、報酬額は最低でも時間当たり２千円以上で受注したい」と希望したとする。このとき、個人ユーザーＢは、サーバー５に、これらの受注希望仕事データをインターネットを介して入力（送信）する。
サーバー５は、個人ユーザーＢからの受注希望仕事データ（「現在場所として万里の長城、希望報酬額として時給２千円以上」）の入力があったときは、個人ユーザーＢからの受注希望仕事データをホームページで公開する（図３（ｂ）の画面１１の上半分の窓１２のような表示を行う）。
【００３１】
このホームページに公開された個人ユーザーＢからの受注希望仕事データを見て、このような個人ユーザーＢ（今現在、万里の長城に居るという特殊な立場にいる個人ユーザーＢ）に仕事を依頼したいと希望する他の複数のユーザーＡ１，Ａ２，Ａ３・・・は、それぞれ、「自分が依頼したい仕事を行うべき場所、時間当たりの報酬額」などの依頼希望仕事データを、サーバー５に送信（入力）する。
具体的には、まず、ユーザーＡ１が、「仕事の場所は北京大学、時給は３千円、仕事の内容は北京大学の今の状況・様子をビデオカメラで撮影してその映像をリアルタイムにこちらに送信してくれること」という依頼希望仕事データを、サーバー５に入力したとする。このとき、サーバー５は、前記個人ユーザーＢからの受注希望仕事データ（「仕事の場所は万里の長城、時給は２千円以上」）と、前記ユーザーＡ１からの依頼希望仕事データとを比較し、まず、「場所」的な条件が合致しているかどうかを判定する。すると、前述のように、ユーザーＡ１が依頼する仕事の場所は、「北京大学」なので、Ａ１からの依頼希望仕事データはユーザーＢからの受注希望仕事データとは「場所が合致していない」として、マッチング対象・選別対象から除外する。
【００３２】
次に、ユーザーＡ２が、「仕事の場所は万里の長城、時給は２千円、仕事の内容は万里の長城の近くで売っているお土産用の菓子を買ってこちらに配達してくれること」という依頼希望仕事データをサーバー５に入力したとする。このとき、サーバー５は、前記個人ユーザーＢからの受注希望仕事データと、前記ユーザーＡ２からの依頼希望仕事データとを比較する。サーバー５は、まず、双方からのデータの中の場所的な条件が合致しているかどうかを判定する。すると、前述のように、ユーザーＡ２の依頼を希望する仕事の場所は「万里の長城」なので、Ａ２からの依頼希望仕事データは個人ユーザーＢからの受注希望仕事データと「場所が合致している」と判定する。また、このユーザーＡ２からの依頼希望仕事データの中の報酬額は「２千円」なので、個人ユーザーＢからの受注希望仕事データの中の報酬額「２千円以上」と合致している。よって、サーバー５は、このユーザーＡ２からの依頼希望仕事データの内容を、ホームページに公開する。すなわち、図３(ｂ）に示すように、ホームページの画面１１では、上半分の窓１２に個人ユーザーＢからの受注希望仕事データが表示され、下半分の窓１３には、ユーザーＡ２からの依頼希望仕事データの中の希望報酬額（「２千円」）が表示される。他の多数のユーザーは、このホームページにアクセスして、ユーザーＡ２の希望報酬額を上回る金額でもいいから個人ユーザーＢに仕事を依頼したいと希望すれば、ユーザーＡ２と同様に、サーバー５に、自らの依頼希望仕事データを、サーバー５に送信する。
【００３３】
そして、次に、ユーザーＡ３が、「仕事の場所は万里の長城、時給は４千円、仕事の内容は今現在の万里の長城の様子をビデオカメラで撮影してその映像を、これから３０分間、こちらにインターネットを介してリアルタイムに送信すること」という依頼希望仕事データをサーバー５に入力したとする。すると、サーバー５は、前記個人ユーザーＢからの受注希望仕事データと、前記ユーザーＡ３からの受注希望仕事データとを比較し、まず、双方の場所的な条件が合致しているかどうかを判定する。すると、前述のように、ユーザーＡ３が希望する仕事の場所は「万里の長城」なので、Ａ３からの依頼希望仕事データは個人ユーザーＢからの受注希望仕事データと「場所が合致している」と判定する。そして、サーバー５は、このユーザーＡ３からの依頼希望仕事データの中の依頼報酬額（時給４千円）と現在ホームページに公開しているユーザーＡ２からの依頼希望仕事データの中の依頼報酬額（時給２千円）とを比較して、より高い金額であるユーザーＡ３からの依頼希望仕事データの中の報酬額（時給４千円）の方を、ユーザーＡ２からの依頼報酬額（時給２千円）の表示に代えて、「現時点での落札予定の受注内容」として、ホームページの前記画面１１の中の窓１３の中に、掲載する。
【００３４】
そして、この依頼報酬額の「オークション」（仕事の依頼を希望する多数のユーザーＡ１，Ａ２，Ａ３・・・が報酬額の高さを競うもの）の制限時刻（オークションの閉め切り時刻）が経過したとき、それまでに最も高い金額を提示してホームページに掲載されていたユーザーＡ３の報酬額を含む依頼希望仕事データが採用（落札）され、ユーザーＡ３と個人ユーザーＢとの間で取引契約（報酬の支払方法なども含む契約、又は、仮契約）が成立する。なお、この場合も、サーバー５が、自動的に（コンピュータプログラムにより）、ユーザーＡとユーザーＡ３との間の契約の締結や報酬の代金決済（クレジットカードや電子マネーによる決済）を代行することもできる。
【００３５】
実施形態４．
上記の実施形態１〜３までは、仕事の受注を希望する側の個人ユーザーと仕事の依頼を希望するユーザーとのマッチングを、「仕事の受注を希望する個人ユーザー側の現在位置、すなわち今現在居る場所」をキーとして、ほぼリアルタイムに、マッチングを行うことを特徴としている。これに対して、この実施形態４では、仕事の受注を希望する側の個人ユーザーと仕事の依頼を希望するユーザーとのマッチングを、「仕事の受注を希望する個人ユーザー側の将来のある時点での位置、すなわち将来のある時点での予定場所とその日時」をキーとしてマッチングを行うことを特徴としている。
【００３６】
図４（ａ）は、本発明の実施形態４を示すブロック図である。図４（ａ）において、図１と共通するものには、同一の符号を付して説明を省略する。本実施形態４では、サーバー５により蓄積され実行されるコンピュータプログラムの内容が実施形態１のものと少し異なっている。そのコンピュータプログラムによる処理の内容は、以下の記述で明らかにされる。
【００３７】
次に、本実施形態４の動作を説明する。ここでは、東京都に住むユーザーＡが、遠隔の山口県山口市○○町という住所にある自分の祖先の墓の掃除という仕事を、「たまたま、祖先の命日である明日の昼（将来のある時点）に、山口県山口市○○町という住所にある自分の祖先の墓の近くに居る予定の人」に依頼したい、と希望している場合を例にして説明する。また、この場合、前記サーバー５は、会員に対して、インターネット１を介して、仕事の依頼を希望する側と仕事の受注を希望する側とのマッチング・仲介をするサービスをするためのコンピュータである。また、この場合、各ユーザーＡ，Ｂ，Ｃは、それぞれサーバー５に対して会員登録を既に行っており、サーバー５により、それぞれＩＤ（身分証明データ）の発行とパスワード（暗証番号）の設定を行ってもらっているものとする。
【００３８】
この場合、ユーザーＡは、端末２から、サーバー５に、インターネット１を介して、「仕事をしてもらいたい日時、仕事をすべき場所、仕事の内容、及び、仕事の報酬額」などの依頼希望仕事データを、自分のＩＤ及びパスワードと共に、送信（入力）する。具体的には、ユーザーＡの端末２からサーバー５に、「仕事をすべき日時（明日の昼）、仕事をすべき場所（山口県山口市○○町という住所にある自分の祖先の墓の場所）、仕事の内容（墓の掃除）、仕事の報酬額（５千円以下）」という依頼希望仕事データが、ユーザーＡからサーバー５に送信（入力）される。
【００３９】
また、これと同時に又は前後して、個人ユーザーＢ，Ｃも、それぞれ、同時に又は順次、「自分が明日の昼に居る予定の場所データ（住所地データ、地名データ、施設名データなど）、希望報酬額」などの仕事受注希望データを、サーバー５へ送信（入力）する。具体的には、個人ユーザーＢは、「明日の昼、山口県山口市の＊＊駅の近くに居る、希望報酬額は４千円」という仕事受注希望データをサーバー５に送信する。また、ユーザーＣは、「明日の昼、山口県山口市○○町の地域に居る、希望報酬額は４千円」という仕事受注希望データをサーバー５に送信する。
【００４０】
これらのデータが前記各ユーザーＡ，Ｂ，Ｃから、それぞれ、同時に又は前後して、入力されると、サーバー５は、直ちに（ほぼリアルタイムに）、前記ユーザーＡからの依頼希望仕事データと、前記各個人ユーザーＢ，Ｃからの受注希望仕事データとを、互いに比較・照合する。すなわち、サーバー５は、前記Ａからのデータと前記Ｂからのデータとを比較すると共に、前記Ａからのデータと前記Ｃからのデータとを比較する。そして、より多く相互の条件（場所・日時・報酬額などの条件）が適合・合致している「ユーザーＡからの依頼希望仕事データとユーザーＣからの受注希望仕事データ」とが「互いにほぼ同一又は近い」と判定する（すなわち、個人ユーザーＢからの受注希望仕事データとユーザーＣの受注希望仕事データとを見ると、それらの中の「日時」と「報酬希望額」はいずれも「明日の昼」と「４千円」なので同じだが、「明日の昼に居る予定場所」は、個人ユーザーＢの方が「山口県山口市の＊＊駅の近く」であるのに対してユーザーＣの方は「山口県山口市○○町」であるので、ユーザーＣの方が、ユーザーＡからの依頼希望仕事データに「より多く条件に適合・合致している」と、サーバー５が判定する）。そして、サーバー５は、前記の各ユーザーＡ及びＣに、この判定結果又はそれぞれの希望データを、通知する。
【００４１】
サーバー５からの通知を受けたユーザーＡ，Ｃは、双方が独自に、電子メール（電子メールアドレスなどはサーバー５から連絡される）やＩＥやチャットソフトや電話などで連絡をとって、以後の取引（仕事の依頼と報酬の支払の契約、及び、その実行）を進めることができる。また、本実施形態４では、仕事の具体的な依頼と報酬の支払方法の取り決め（契約、又は、仮契約）について、さらに、報酬の支払いの決済（クレジットカード決済や電子マネーによる決済など）についても、サーバー５が（サーバー５に蓄積されたコンピュータプログラムにより自動的に）仲介又は代行することも、可能である（最近の、米イー・ベイ、ヤフー、ビッダーズ、などのインターネット関連ビジネスを行う企業がインターネット上で企業化している「ネット・オークション」事業のための技術＝コンピュータプログラムなどを使用すれば、可能である）。
【００４２】
また、本実施形態４において、サーバー５は、図４（ｂ）に示すように、ユーザーＡを含む仕事の依頼を希望する複数のユーザー側が入力した依頼希望仕事データを、例えば一覧表などの形で、所定の資格を有する者（サーバー５が提供するサービスを受けられる資格を持っている者＝サーバー５の提供するサービスを受けられる会員のＩＤを有しているユーザー）がインターネットを介して閲覧できるように、公開するようにしてもよい（この場合、ユーザーのプライバシー情報は公開しないようにすることが望ましい）。このような公開をすれば、他人の仕事を受注したいと希望する多数の個人ユーザーＢ，Ｃ・・・は、図４（ｂ）のような多数の依頼希望仕事データの情報を見て、自分が誰かから仕事を受注したいと希望する「将来のある時点・日時」（例えば、「明日の昼」）の予定場所と同一か近い場所を含む依頼希望仕事データを見つけて、その受注を受けるべく（その仕事に応募すべく）、サーバー５に、「自分の将来のある時点・日時（例えば「明日の昼」）の予定場所、希望報酬額」などの受注希望仕事データを入力（送信）することができる。
【００４３】
また、本実施形態４では、サーバー５は、図４（ｃ）に示すように、個人ユーザーＢ，Ｃ・・・などの仕事の受注を希望する複数のユーザー側が入力した受注希望仕事データを、例えば一覧表などの形で、所定の資格を有する者（サーバー５が提供するサービスを受けられる資格を持っている者＝サーバー５の提供するサービスを受けられる会員のＩＤを有しているユーザー）がインターネット１を介して閲覧できるように、公開するようにしてもよい（この場合、ユーザーのプライバシー情報は公開しないようにすることが望ましい）。このような公開をすれば、他人に仕事を依頼したいと希望するユーザーＡなどは、図４（ｃ）のような多数の受注希望仕事データの情報を見て、自分が誰かに依頼したいと希望する「将来のある時点・日時」（例えば「明日の昼」）の仕事の場所と同一か近い日時・場所を含む受注希望仕事データを見つけて、その個人ユーザーＢに依頼（発注）することをサーバー５に要求することができる。つまり、通常は、前述のように、サーバー５が自動的に「マッチング処理」をする（日時及び場所などの条件が最も適合するユーザーを判定・選定する）のであるが、ユーザーＡの方で、図４（ｃ）のような一覧表を見て、自分で「誰に（どの個人ユーザーＢ・・・に）仕事を依頼するか」を決めるようにしてもよい。
【００４４】
（本発明の範囲）
以上、本発明の実施形態について説明してきたが、本発明はこれらに限られるものではなく、次のような変形例も本発明の範囲内である。例えば、上記の各実施形態では、仕事の依頼を希望するユーザーが入力する「依頼希望仕事データ」の内容の中に、「その仕事の場所、その仕事の報酬額」などを含めているが、本発明ではこれに限られることなく、例えば、「その仕事を行うのに適した人（その仕事を依頼したい人）の属性（性別、年齢層、職業、技能）」などをも含めるようにしてもよい。また、本発明では、仕事の受注を希望する個人ユーザーが入力する「受注希望仕事データ」の内容の中に、「自己（個人ユーザーＢ）の現在場所、希望の報酬額」を含めているが、本発明ではこれに限られることなく、例えば、「自己（個人ユーザーＢ）の属性（性別、年齢層、職業、技能）」などをも含めるようにしてもよい。
また、上記の各実施形態においては、仕事の受注を受ける側として「個人ユーザー」を想定しているが、本発明はされに限られるものではなく、「複数の従業員（日本各地又は世界各地に移動・滞在する複数の従業員）を有している（雇用している）企業ユーザー」でもよい。
【００４５】
【発明の効果】
第１  本発明による効果
本発明によれば、「様々な場所に散在し且つ時々刻々と移動している多数の個人ユーザー、若しくはそのような個人が所属している企業ユーザー」（受注側）が、「前記各個人が今居る現在場所」又はその近くで、手軽に若しくは即時的に仕事を受注すること、又は、そのようなユーザーに発注側が手軽に若しくは即時的に仕事を依頼（発注）すること、が可能になる。
なお、本発明は、（「個人ユーザー」の仕事を受注したいというニーズのみならず）「複数の従業員を有する企業ユーザー」側の「様々な場所に移動・滞在している複数の従業員の現在場所」をキー（鍵）として仕事を受注したいという受注側ユーザーである企業のニーズと、様々な場所での仕事を依頼したいという依頼側ユーザーのニーズとを、うまくマッチングさせるためにも、利用することができる。
第２  本発明の実施形態による効果
本発明の実施形態による効果（本発明による効果と一部重複するものがある）は、次のとおりである。
１．本発明の実施形態において、仕事を依頼することを希望する側の依頼側ユーザーと仕事を受注することを希望する受注側ユーザーとを、「依頼したい仕事の場所」と「仕事の受注を希望するユーザー側の、現在位置、すなわち現在居る場所」とをキーとして、ほぼリアルタイムにマッチングを行うようにしたときは、
（ａ）「（今現在、今すぐに、又は、これから）、他人に仕事を依頼したい依頼側ユーザー」は、インターネットなどのネットワークを介して、ほぼリアルタイムに、「自分が（今から、今すぐに、これから）依頼したい仕事の場所に適合・合致した場所に現在居る受注側ユーザー」を見つけて、直ちに、仕事を依頼することが可能になり、また、
（ｂ）「（今現在、今直ぐ、又は、これから）、他人から依頼される仕事を受注したい受注側ユーザー」は、インターネットなどのネットワークを介して、ほぼリアルタイムに、「自分の現在居る場所に適合・合致した仕事」を依頼してくれる依頼側ユーザー（及び、その仕事）を見つけて、直ちに、その仕事を受注することが可能になる。
よって、上記のような構成を採用するときは、例えば、放浪の旅をしている個人ユーザーが、旅先のある場所で、「今から、短時間の仕事をして報酬を得たい」と希望したとき、直ちに、その「旅先のある場所での仕事を求めるニーズ」を満たすことができる。
２．本発明の実施形態において、仕事の依頼を希望する側の依頼側ユーザーと仕事の受注を希望する受注側ユーザーとを、「依頼側ユーザー側の、依頼したい仕事の場所などの条件」と「受注側ユーザー側の、現在位置、すなわち今現在居る場所などの条件」とをキーとして、ほぼリアルタイムにマッチングを行うようにしたときは、
（ａ）「（今現在、今すぐに、又は、これから）、他人に仕事を依頼したい依頼側ユーザー」は、インターネットなどのネットワークを介して、ほぼリアルタイムに、「自分が（今から、今すぐに、又は、これから）依頼したい仕事の場所などの条件に適合・合致した場所に現在居る受注側ユーザー」を見つけて、直ちに、その仕事を依頼することが可能になり、また、
（ｂ）「（今現在、今直ぐ、又は、これから）、他人から依頼される仕事を受注したい受注側ユーザー」は、インターネットなどのネットワークを介して、ほぼリアルタイムに、「自分の現在居る場所などの条件に適合・合致した仕事」を依頼してくれる依頼側ユーザー（及び、その仕事）を見つけて、直ちに、その仕事を受注することが可能になる。
３．本発明の実施形態において、誰かに仕事を依頼したいと希望する依頼側ユーザーのために、その仕事の受注を希望する「受注側ユーザーによる競り」（オークション。ある人からの仕事を受注したいと希望する複数の受注側ユーザーが、報酬額などの条件を競うことにより、発注側（依頼側）ユーザーにとってより良い条件を提示した受注側ユーザーが、その依頼側ユーザーからの仕事を受注できるという競争）を実施し、「依頼側ユーザー側の、依頼したい仕事の場所などの条件」と「受注側ユーザー側の、現在位置（場所）などの条件」をキーとして、ほぼリアルタイムに、より良い条件を提示した受注側ユーザーに仕事を受注させるようにしたときは、「（今現在、今すぐに、又は、これから）、他人に仕事を依頼したい依頼側ユーザー」は、インターネットなどのネットワークを介して、ほぼリアルタイムに、「自分が（今から、今すぐに、又は、これから）依頼したい仕事の場所に適合・合致した場所又はその近くに現在居る受注側ユーザーであって、最も良い条件を提示してくれる受注側ユーザー」を見つけて、直ちに、仕事を依頼することが可能になる。
４．本発明の実施形態において、仕事の受注を希望する側の受注側ユーザーのために、仕事を依頼する「依頼側ユーザーによる競り」（オークション。ある人に仕事を依頼したいと希望する依頼側ユーザーが、条件を競うことにより、受注側ユーザーにとってより良い条件を提示した依頼側ユーザーが、その受注側ユーザーに仕事を依頼できるという競争）を実施し、「依頼側ユーザー側の、依頼したい仕事の場所などの条件」と「受注側ユーザー側の、現在位置（場所）などの条件」をキーとして、ほぼリアルタイムに、より良い条件を提示した依頼側ユーザーからの仕事を受注させるようにしたときは、「（今現在、今すぐに、又は、これから）、他人からの仕事を受注したい受注側ユーザー」は、インターネットなどのネットワークを介して、ほぼリアルタイムに、「自分が今現在居る場所又はその近くに適合・合致した仕事であって、最も良い条件が提示されている仕事とその依頼側ユーザー」を見つけて、直ちに、その仕事を受注することが可能になる。
５．本発明の実施形態において、「将来の或る日時における仕事」の受注を希望する側の受注側ユーザーのために、仕事を依頼する「依頼側ユーザーによる競り」（オークション。ある人に仕事を依頼したいと希望する依頼側ユーザーが、受注側ユーザーにとってより良い条件を競うことにより、受注側ユーザーにとってより良い条件を提示した依頼側ユーザーが、その受注側ユーザーに仕事を依頼できるという競争）を実施し、「受注側ユーザー側から提示された、自分が将来の或る日時に居る予定の場所、その将来の日時などの条件」に対して、それと適合する「将来の或る日時に依頼したい仕事の場所、その将来の日時などの条件」を提示している依頼側ユーザーであってより良い条件を提示している依頼側ユーザーを抽出・選択し、その抽出・選択しその依頼側ユーザーに関する情報を前記受注側ユーザーに提供するようにしたときは、受注側ユーザーは、「自分が将来の或る日時に居る予定の場所に適合・合致した仕事であって、しかも良い条件が提示されている仕事とその依頼側ユーザー」を見つけて受注することが可能になる。
【図面の簡単な説明】
【図１】本発明の実施形態１を説明するための図である。
【図２】本発明の実施形態２を説明するための図である。
【図３】本発明の実施形態３を説明するための図である。
【図４】本発明の実施形態４を説明するための図である。
【図１】
0004699617.tif 000002
【図２】
0004699617.tif 000003
【図３】
0004699617.tif 000004
【図４】
0004699617.tif 000005